(57)【要約】      （修正有）【課題】回路基板と、電池収納部を覆う電池蓋と、を備え、電池蓋を外筐に工具を用いて固定する電気機器で、電池蓋が容易に開く様に構成され、外筐や電池蓋に凹凸、即ち切欠き等がなく製品の金型や部品のコストを下げ得て、更に回路基板の配置の設計自由度が高い電気機器の提供。【解決手段】外筐１内に少なくとも、回路基板と、電池収納部と、電池収納部を覆う電池蓋４と、を備え、電池蓋を外筐に工具を用いて固定する電気機器で、電池蓋が、一端側に外筐との固定を行う固定部Ｆと、他端側に電池蓋の開閉を補助する押圧部７ｂと、押圧部の近傍に配置される傾斜部とを有し、外筐の一部には、電池蓋の傾斜部に当接する当接壁を設け、外筐から電池蓋の固定を解除した後、電池蓋の押圧部を押圧すると、電池蓋の傾斜部が外筐の当接壁に沿って電池蓋の押圧部側が下降し、電池蓋の固定部側が上昇して電池蓋が開く電気機器。【選択図】図８
2018063931.tif 000002
【特許請求の範囲】
【請求項１】
外筐内に少なくとも、回路基板（８）と、電池収納部（９）と、前記電池収納部を覆う電池蓋（７）と、を備え、前記電池蓋を外筐に工具を用いて固定する電気機器（Ｍ）において、
前記電池蓋は、一端側に前記外筐との固定を行う固定部（Ｆ）と、他端側に前記電池蓋の開閉を補助する押圧部（７ｂ）と、前記押圧部の近傍に配置される傾斜部（７ｅ，７ｅ）とを設け、
前記外筐の一部には、前記電池蓋の傾斜部に当接する当接壁（３ｂ，３ｂ）を設け、前記外筐から前記電池蓋の固定を解除した後、前記電池蓋の押圧部を押圧すると、前記電池蓋の傾斜部は前記外筐の当接壁に沿って前記電池蓋の押圧部側が下降するとともに、前記電池蓋の固定部側が上昇して前記電池蓋が開くように構成される電気機器。
【発明の詳細な説明】
【技術分野】
【０００１】  本発明は、電池蓋を外筐に工具を用いて固定する電気機器において、前記電池蓋の周辺に大きな切欠き等がなく、容易に前記電池蓋を開くことができる電気機器に関する。
【背景技術】
【０００２】  電池蓋を外筐に工具を用いて固定する電気機器としては、種々のものが開示されている。
例えば、特開２００３−７７４４４号公報には、次のような電池蓋を外筐に工具を用いて固定する電気機器が開示されている。すなわち、この公報には、電池収納部内の乾電池を取り出す際に乾電池の端部を電池収納部からせり出せて乾電池を取り出し易い電池収納部内の乾電池取り出し構造について記載されている。【０００３】  しかし、このような電気機器では、電池の交換の際に、この電池蓋を開くことになるが、前記電池蓋に指を掛けることができないため、前記電池蓋を容易に開けることができないという問題があった。【０００４】  これらの問題を解決するものとして、電池蓋にツマミを付けたり、外筐の電池蓋の近傍付近に切欠き部を設けたり、電池蓋自体に孔を設けたりして、電池蓋に指を掛けられるようにしていた。【０００５】  このように、外筐に切欠き部を設けたり、電池蓋に孔を設けたりすると、意匠上、好ましくはない。また、切欠き部や孔、しいてはツマミなど、外筐や電池蓋に凹凸があることによって製品の金型や部品のコストを下げることが難しかった。さらに、電気機器では、省スペースの中に回路基板等を搭載しているため、大きな切欠き部等があると、回路基板の配置に制約がでてきてしまい、設計の自由度が低下するという問題もあった。
【先行技術文献】
【特許文献】
【０００６】
【特許文献１】特開２００３−７７４４４号公報
【発明の概要】
【発明が解決しようとする課題】
【０００７】  そこで、本発明は、電池蓋を外筐に工具を用いて固定する電気機器において、電池蓋の固定を解除した後、前記電池蓋の押圧部を押圧すると、前記電池蓋が容易に開くように構成され、かつ、前記外筐や電池蓋に凹凸、すなわち大きな切欠き等がないことによって、意匠性に優れ、製品の金型や部品のコストを下げることができ、さらに回路基板の配置の設計自由度が高い電気機器を提供することを目的とする。
【課題を解決するための手段】
【０００８】  本発明の電気機器は、外筐内に少なくとも、回路基板と、電池収納部と、前記電池収納部を覆う電池蓋と、を備え、前記電池蓋を外筐に工具を用いて固定する電気機器において、前記電池蓋は、一端側に前記外筐との固定を行う固定部と、他端側に前記電池蓋の開閉を補助する押圧部と、前記押圧部の近傍に配置される傾斜部とを設け、前記外筐の一部には、前記電池蓋の傾斜部に当接する当接壁を設け、前記外筐から前記電池蓋の固定を解除した後、前記電池蓋の押圧部を押圧すると、前記電池蓋の傾斜部は前記外筐の当接壁に沿って前記電池蓋の押圧部側が下降するとともに、前記電池蓋の固定部側が上昇して前記電池蓋が開くように構成している。
【発明の効果】
【０００９】  本発明の電気機器は、外筐内に少なくとも、回路基板と、電池収納部と、前記電池収納部を覆う電池蓋と、を備え、前記電池蓋を外筐に工具を用いて固定する電気機器において、前記電池蓋は、一端側に前記外筐との固定を行う固定部と、他端側に前記電池蓋の開閉を補助する押圧部と、前記押圧部の近傍に配置される傾斜部とを設け、前記外筐の一部には、前記電池蓋の傾斜部に当接する当接壁を設け、前記外筐から前記電池蓋の固定を解除した後、前記電池蓋の押圧部を押圧すると、前記電池蓋の傾斜部は前記外筐の当接壁に沿って前記電池蓋の押圧部側が下降するとともに、前記電池蓋の固定部側が上昇して前記電池蓋が開くように構成され、かつ、前記外筐や電池蓋に凹凸、すなわち大きな切欠き等がないことによって、意匠性に優れ、製品の金型や部品のコストを下げることができ、さらに回路基板の配置の設計自由度が高い電気機器を提供することができる。
【図面の簡単な説明】
【００１０】
【図１】本発明の実施の形態の電気機器の構成を示す斜視図
【図２】本実施の形態の電気機器の構成を示す背面図
【図３】本実施の形態の電気機器の電池蓋を外した背面図
【図４】本実施の形態の電気機器の分解図
【図５】本実施の形態の電気機器の電気蓋の斜視図
【図６】本実施の形態の電子蓋に固定されている状態を説明する説明図
【図７】本実施の形態の電子蓋の固定が解除された状態を説明する説明図
【図８】本実施の形態の電子蓋を開く動作を示す説明図
【発明を実施するための形態】
【００１１】  以下、本発明を実施するための最良の形態を、図面を参照して説明する。図１は本発明の実施の形態の構成を示す斜視図であり、図２は図１の背面図で、本実施の形態は、電気機器としてデジタルマルチメータへの適用例が示されている。
まずは、前記デジタルマルチメータＭの構成について説明する。
図１及び図２に示す如く、デジタルマルチメータＭの外筐１は、上部筐体２と下部筐体３の二部分で構成されている。前記外筐１は硬質の樹脂で成型され、図１の如く、前記上部筐体２の前面側には、表面パネルＰが設けられている。
【００１２】  表面パネルＰは、上部に設けられた液晶表示器４と、ＡＣ／Ｈｚ等を切り換えるファンクションボタン５と、電源スイッチを兼用するファンクションスイッチ６等で構成されている。  前記ファンクションスイッチ６の摘み部６ａを摘まんでファンクションスイッチ６を回転させると、電源のＯＮ／ＯＦＦ、または測定対象や測定レンジが順次間欠的に切り換えられる。また、図示してはいないが、前記表面パネルＰには、同一形状で赤と黒の一組のテストリード等も備えられている。
【００１３】  図２の如く、前記下部筐体３の図中右下方には電池蓋７が備えられている。
前記電池蓋７は、図中下部を固定ねじＳで前記下部筐体３に固定している。
前記電池蓋７において、前記固定ねじＳで前記下部筐体３に固定する部位を固定部Ｆとしている。
このように、デジタルマルチメータＭのような電気機器は、電池及び電池器具工業及び関連の安全の確保等を目的とする協会が発行しているガイドラインによって、幼児が簡単に電池蓋を開けることができないように、蓋をネジ止めすることを推奨している。そのため、前記電池蓋７も前記固定ねじＳによって、前記下部筐体３に固定されている。
図２で確認できるように、この電池蓋７の周辺には大きな凹凸、すなわち切欠き等がなく、すっきりした意匠となっている。
【００１４】  図３は、図２の状態から前記電池蓋７を前記下部筐体３から取り外した図であり、図３で示す如く、前記電池蓋７を取り外すと、前記上部筐体２に固定された回路基板８が備えられ、その回路基板８の一部には電池収納部９に取り付けられた複数の電池１０が見える。
【００１５】  図４は、前記外筐１である前記上部筐体２、前記下部筐体３と前記回路基板８を分解した分解図である。前記上部筐体２と前記下部筐体３及び前記下部筐体３と前記回路基板８とは、それぞれ図示しないねじ等で固定されており、図４はそれらの固定を外した状態である。
【００１６】  図４に示す如く、前記回路基板８には、図中上方に前記表面パネルＰの液晶表示器４、ファンクションボタン５、ファンクションスイッチ６等が配置され、図中下方に前記電池収納部９に取り付けられた前記電池１０が配置されている。このように前記回路基板８の図中上下には様々な部品が取り付けられている。特に前記電池１０の配置には、設計の自由度が有る方が良く、前記下部筐体３の形状によっては、すなわち、前記電池１０（前記電池蓋７）の周辺に大きな切欠き等を設ける必要がある場合は、前記電池１０の配置に影響がでてしまう。
【００１７】  次に、前記デジタルマルチメータＭの電池蓋７の構成及び開閉について説明する。
図５は、前記電池蓋７の斜視図であり、前記電池蓋７の上面には前記固定ねじＳが挿入される孔７ａ、その長手方向の反対側には円形の押圧部７ｂが形成されている。また、前記電池蓋７には、図中左側に一対の突部７ｃ，７ｃが形成されている。さらに、前記電池蓋７の長手方向の左右側壁７ｄ，７ｄには、図中左側に、すなわち、前記押圧部７ｂの近傍に配置されるそれぞれの傾斜部７ｅ，７ｅを形成している。
【００１８】  図６は、前記下部筐体３に前記電池蓋７が固定されている状態を説明する説明図であり、前記下部筐体３及び前記電池蓋７の一部を断面として構成を説明する。図６の如く、前記下部筐体３には、前記電池蓋７の一対の突部７ｃ，７ｃが入るように形成された穴３ａ，３ａが設けられている。また、前記電池蓋７の左右側壁７ｄ、７ｄに設けられている傾斜部７ｅ，７ｅの端部７ｆ，７ｆに当接する当接壁であるレール状に延びる薄壁の先端が湾曲している湾曲部３ｂ，３ｂが設けられている。
【００１９】  図６の如く、図中右方に示すように、前記固定ねじＳで前記電池蓋７の孔７ａを貫通し、前記電池蓋７と前記下部筐体３を固定している。前記電池蓋７が前記下部筐体３に固定されている状態では、前記電池蓋７の一対の突部７ｃ，７ｃの上面は、前記下部筐体３の穴３ａ，３ａの天面に当接している。このように、前記突起７ｃ，７ｃが前記穴３ａ，３ａの天面に当接することにより、前記固定ねじＳを押し込み過ぎたとしても、前記電池蓋７の図中左方が上がり、前記電池蓋７が開いてしまうのを防ぐことができる。また、前記電池蓋７の端部７ｆ，７ｆは前記下部筐体３の湾曲部３ｂ，３ｂに当接している。
【００２０】  図７は、前記固定ねじＳを、工具を用いて外し、前記下部筐体３から前記電池蓋７の固定が解除され、前記電池蓋を開けた状態を示す説明図であり、図６と同様に前記下部筐体３及び前記電池蓋７の一部を断面として構成を説明する。
前記固定ねじＳを外し前記電池蓋７の固定を解除した後、図中矢印方向に前記電池蓋部７の押圧部７ｂを指なので押すと、図７の如く、前記電池蓋７は、前記端部７ｆ，７ｆが前記下部筐体３の湾曲部３ｂ，３ｂに沿って当接しながら滑り、図中左方、すなわち前記電池蓋７の長手方向における前記押圧部７ｂが設けられた側（押圧部側）が下降する。
すると、前記電池蓋７の図中右方、すなわち前記電池蓋７の長手方向における前記押圧部７ｂが設けられている側とは逆の側（固定部Ｆ側）が自然に上昇し、前記電池蓋７を簡単に開くことができる。
【００２１】  実際にどのように前記電池蓋７を開くかを、図８を参照しながら説明する。
図８の如く、前記電池蓋７の押圧部７ｂを指で軽く押圧する。すると、上述したように前記電池蓋７の固定部Ｆ側が上昇するので、この上昇した前記電池蓋７の固定部Ｆ側を、前記押圧部７ｂを押した指と挟むように別の指で前記電池蓋７の固定部Ｆ側の端面を抑えると簡単に前記電池蓋７を開くことができる。
【００２２】  このように、上述したような本実施の形態にすることにより、前記電池蓋７が容易に開くように構成され、かつ、前記外筐１や電池蓋７に凹凸、すなわち切欠き部がないことによって、意匠性に優れ、また、製品の金型や部品のコストを下げることができ、さらに回路基板８の配置の設計自由度が高い電気機器を提供することができる。
【符号の説明】
【００２３】１          外筐
３ｂ        当接壁（湾曲部）
７          電池蓋
７ｂ        押圧部
７ｅ        傾斜部
８          回路基板
９          電池収納部
Ｆ          固定部
Ｍ          デジタルマルチメータ
【図１】
2018063931.tif 000003
【図２】
2018063931.tif 000004
【図３】
2018063931.tif 000005
【図４】
2018063931.tif 000006
【図５】
2018063931.tif 000007
【図６】
2018063931.tif 000008
【図７】
2018063931.tif 000009
【図８】
2018063931.tif 000010